(57)【要約】【課題】火災感知器にアイソレータを組み込むことによって、システム施工、作動確認を容易としたアイソレータ内蔵型火災感知器を提供する。【解決手段】感知器ヘッド１０と感知器ベース１１とを着脱可能にして構成された火災感知器１において、感知器ベース１１は、感知器回線Ｌの給電線Ｌａに接続される１組の感知器回線端子ＳＡＩ，ＳＡＯと、上記感知器回線Ｌの共通線Ｌｂに接続される感知器回線共通端子ＳＢとを有するとともに、その内部にアイソレータＡが内蔵されており、アイソレータＡは、その制御回路１９Ｃを、上記感知器回線端子ＳＡＩ，ＳＡＯと、上記感知器回線共通端子ＳＢとに接続した構成としている。【選択図】図１
2008027349.tif 000002
【特許請求の範囲】
【請求項１】
感知器ヘッドと感知器ベースとを着脱可能にして構成された火災感知器において、
上記感知器ベースは、感知器回線の給電線に接続される１組の感知器回線端子と、上記感知器回線の共通線に接続される感知器回線共通端子とを有するとともに、その内部にアイソレータが内蔵されており、
上記アイソレータは、その制御回路を、上記感知器回線端子と、上記感知器回線共通端子とに接続していることを特徴とする、アイソレータ内蔵型火災感知器。
【請求項２】
請求項１において、
上記感知器ベースには、上記アイソレータの作動状態を報知する表示灯を備えていることを特徴とする、アイソレータ内蔵型火災感知器。
【請求項３】
請求項１または２において、
上記感知器ベースは、上記１組の感知器回線端子と、上記感知器回線共通端子とを備えるとともに、上記感知器ヘッドに電源を供給するための１組の内部端子を備えており、その１組の内部端子の一方は、上記感知器回線端子に接続され、他方は、上記感知器回線共通端子に接続されていることを特徴とする、アイソレータ内蔵型火災感知器。
【請求項４】
上記感知器ベースは、その内部に上下を区分する仕切壁を形成し、上面よりカバーが被せられる構造となっており、上記仕切壁の上記感知器ヘッドと対向する面側には１組の上記感知器回線端子と、感知器回線共通端子とを備える一方、その仕切壁のカバー面側には上記アイソレータを設けて、上記仕切壁と上記カバーとの間に収容した構造にしているアイソレータ内蔵型火災感知器
【請求項５】
請求項１〜４のいずれか1項に記載のアイソレータ内蔵型火災感知器と、火災受信機とを感知器回線でループ接続して構成される火災報知システム。
【発明の詳細な説明】
【技術分野】
【０００１】
本発明は、火災受信機から導出された感知器回線に接続され、熱や煙などの火災要因を検出して火災信号を火災受信機に送出して火災警報を出力させる火災感知器、及び、火災報知システムの改良に関するものである。
【背景技術】
【０００２】
近時、下記特許文献１や、特開平１１−８６１７１号公報に示すような火災報知システムが使用されている。
この種の火災報知システムでは、火災感知器は、火災受信機から導出され、ループ配線された感知器回線に並列接続されており、火災要因を検出したときには、固有のアドレスを含んだ火災信号を送信し、これを受けた火災受信機に警報出力を行わせている。
また、感知器回線の適所にはアイソレータを設置して、アイソレータ間に存在する感知器回線をセグメントＳ（＃１）、Ｓ（＃２）、・・・Ｓ（＃ｎ）単位に区分し、感知器回線Ｌに短絡を生じたときには、そのセグメントＳ（＃ｉ）に属する感知器回線Ｌを他から切り離すことによって、他の火災感知器２００が不作動にならないようにしている。
【０００３】
図７は、このような従来の火災報知システムの構成を示す図である。
火災受信機３００では、端子ＳＡ，ＳＢから、給電線Ｌａと共通線Ｌｂとで構成される一対の感知器回線Ｌがループ状に導出されており、感知器回線Ｌには、火災感知器２００が並列に接続され、その間にアイソレータ１００が縦列接続されている。
各アイソレータ１００は、感知器回線Ｌの給電側ＳＡと共通側ＳＢとの間の電圧レベルを監視しており、その電圧が一定のしきい値よりも低下したときには、各アイソレータに内蔵された切換回路（不図示）を作動して、火災感知器２００を感知器回線Ｌより遮断するようにしている。
【０００４】
各アイソレータ１００は、感知器回線Ｌに電源が投入されたときには、内蔵した切換回路の接点は開いており、火災受信機３００から感知器回線Ｌを通じて、制御信号を受けると、それぞれの切換回路の接点を閉じて、火災感知器を感知器回線Ｌに接続し、監視状態とする。そして、この状態では、感知器回線Ｌの給電線側ＳＡと共通線側ＳＢとの間の電圧レベルを監視し、その電圧が一定のしきい値以下に低下したときには、それぞれのアイソレータ１００は、切換回路の接点を開いて、感知器回線Ｌを遮断する。
【０００５】
その後、短絡復旧シーケンスが実行されると、火災受信機３００は、例えば、Ａ側の端子から、自分に近いアイソレータ１００から順次、制御信号を送出して、切換回路の接点を閉じて行き、再度、短絡を検出した時点で、制御信号を送出したアイソレータ１００のアドレスを記憶し、ついで、Ｂ側の端子からアイソレータ１００に制御信号を同様に送出して、短絡を検出した時点で、制御信号を送出したアイソレータ１００のアドレスを記憶して、最後に、短絡を生じていないアイソレータ１００に対してのみ制御信号を送出して、切換回路の接点を閉じて、短絡を生じたセグメントを切離すようにしている。
【特許文献１】実開平５−２２９４号公報
【発明の開示】
【発明が解決しようとする課題】
【０００６】
ところで、上記した従来の火災報知システムでは、各アイソレータを天井裏などの人目につかない場所に設置するので、システム施工が面倒であった。また、近時では、表示灯を設けて、作動した場合に点灯あるいは点滅させるアイソレータも存在するが、人目につかない箇所に設置するため、作動確認が大変である。
【０００７】
本発明は、このような事情を考慮して提案されるものであり、火災感知器にアイソレータを組み込むことによって、システム施工、作動確認を容易としたアイソレータ内蔵型火災感知器、及びこれを使用した火災報知システムを提供することを目的とする。
【課題を解決するための手段】
【０００８】
上記目的を達成するため、本発明の請求項１では、感知器ベースは、感知器回線の給電線に接続される１組の感知器回線端子と、上記感知器回線の共通線に接続される感知器回線共通端子とを有するとともに、その内部にアイソレータが内蔵されており、アイソレータは、その制御回路を、感知器回線端子と、感知器回線共通端子とに接続していることを特徴とする。
【０００９】
請求項２では、感知器ベースには、アイソレータの作動状態を報知する表示灯を備えていることを特徴とする。
【００１０】
請求項３では、感知器ベースは、１組の感知器回線端子と、感知器回線共通端子とを備えるとともに、感知器ヘッドに電源を供給するための１組の内部端子を備えており、その１組の内部端子の一方は、感知器回線端子に接続され、他方は、感知器回線共通端子に接続されていることを特徴とする。
【００１１】
請求項４では、感知器ベースは、その内部に上下を区分する仕切壁を形成し、上面よりカバーが被せられる構造となっており、仕切壁の感知器ヘッドと対向する面側には１組の感知器回線端子と、感知器回線共通端子とを備える一方、その仕切壁のカバー面側にはアイソレータを設けて、仕切壁とカバーとの間に収容した構造にしている。
【００１２】
請求項５では、火災報知システムを提案しており、請求項１〜４のいずれか1項に記載のアイソレータ内蔵型火災感知器と、火災受信機とを感知器回線でループ接続して構成されている。
【発明の効果】
【００１３】
本発明によれば、以下の効果を奏する。
請求項１によれば、感知器ベースの内部にアイソレータが内蔵されているので、取付作業を容易に行うことができる。また、通常の火災感知器と同様に、監視回線に対しては、１組の感知器回線端子と、感知器回線共通端子とを備えた３端子構造になっているので、アイソレータのために端子数を増やすことなく、アイソレータ内蔵型火災感知器の小型化を図ることができる。
【００１４】
請求項２によれば、感知器ベースには、アイソレータの作動状態を報知する表示灯を備えているので、人目につきやすい箇所で作動状態を報知でき、短絡箇所を特定しやすく利便にできる。
【００１５】
請求項３によれば、感知器ヘッドに電源を供給するための１組の内部端子のうち、一方は、感知器ベースの感知器回線端子に接続され、他方は、感知器ベースの感知器回線共通端子に接続されているので、感知器ヘッドに接続するだけで感知器ヘッドにも電源供給ができ、アイソレータ内蔵型火災感知器の小型化を図ることができる。
【００１６】
請求項４によれば、感知器ベースは、その内部に上下を区分する仕切壁を形成して、感知器ヘッドと対向する面側には１組の感知器回線端子と、感知器回線共通端子とを備える一方、他方の面側にはアイソレータを設けるようにしているので、感知器ベースに感知器ヘッドを着脱する際に、感知器ヘッドがアイソレータに当たってアイソレータを傷つけることを防止できる。
また、アイソレータへの異物侵入や埃の堆積も防止できる。更に、天井面に結露した水滴がアイソレータに浸入することも防止できる。
【００１７】
請求項５によれば、請求項１〜４のいずれか１項に記載のアイソレータ型火災感知器と、火災受信機とを感知器回線でループ接続して構成しているので、システム施工、作動確認を容易とした新規な火災報知システムを提供することができる。
【発明を実施するための最良の形態】
【００１８】
以下に、本発明の実施の形態について説明する。
【００１９】
図１は、本発明のアイソレータ内蔵型火災感知器の要部構成の一例を示すブロック図である。
この図では、感知器ベース１１の構成を示しており、アイソレータＡは、制御接点１９ｂと制御回路１９ｃとを切換回路として備えた構成として示されており、アイソレータＡの動作状態を示す表示灯２０が設けられ、アイソレータＡは後述する感知器ベースの内部に収容されるようになっている。
制御回路１９ｃは、感知器ベースが有する１組の感知器回線端子ＳＡＩ，ＳＡＯと感知器回線共通端子ＳＢとに接続され、１組の感知器回線端子ＳＡＩ，ＳＡＯは、後述するように一対の感知器回線Ｌの給電線Ｌａに接続される。感知器回線共通端子ＳＢは、感知器回線Ｌの共通線Ｌｂに接続されている。
【００２０】
制御回路１９ｃは、通常の監視状態では、給電線Ｌａと共通線Ｌｂとの間の端子間電圧を監視しており、感知器回線Ｌが短絡したときには、その端子間電圧がしきい値よりも低下するので、これを検出して制御接点１９ｂを開いて、短絡を生じた感知器回線Ｌの接続を、セグメント単位で遮断するようにしている。
なお、感知器回線Ｌの電源投入時には、制御接点１９ｂは開かれており、火災受信機より制御信号を受けて閉じられるようになっている。これらは、従来と同様な構成をなしている。
【００２１】
ＳＣ，ＳＣは、後述する感知器ヘッドに電源を供給するための１組の内部端子であり、一方は、感知器回線端子ＳＡＯに接続され、他方は、感知器回線共通端子ＳＢに接続され、感知器回線Ｌを通じて火災受信機から供給される電源を感知器ヘッドに供給するようにしている。
【００２２】
図２は、本発明の火災報知システムの基本構成の一例を示すシステム構成図である。
火災受信機３からは、Ａ側の端子ＳＡ，ＳＢと、Ｂ側の端子ＳＡ，ＳＢとの間に、電源線Ｌａと共通線Ｌｂとで構成される一対の感知器回線Ｌがループ状に接続されている。
本発明のアイソレータ内蔵型火災感知器１は、感知器ベース１１と感知器ヘッド１０とを組み合わせて構成され、感知器回線Ｌをセグメント単位Ｓ（＃１）、Ｓ（＃２）、・・・Ｓ（＃ｎ）で遮断するため、従来構成と同様にして、火災感知器２を並列接続した感知器回線Ｌに縦列接続され、感知器回線Ｌの短絡時には、従来システムと同様な短絡復旧シーケンスが実行される。
【００２３】
図３は、本発明のアイソレータ内蔵型火災感知器の一例を示す分解斜視図であり、図４は感知器ベースの組立工程、図５は感知器ヘッドの構造を示している。以下では、これらの図とともに、感知器ベースと感知ヘッドの構造を説明する。
【００２４】
このアイソレータ内蔵型火災感知器１は、感知器ヘッド１０、感知器ベース１１、カバー１２とから構成され、カバー１２を被せた感知器ベース１１と、感知器ヘッド１０とを、いわゆるツイスト嵌合接続、つまり対応した箇所を位置合わせしてから、一方向に回動させることで対応して形成した凹凸部を嵌合させて着脱可能に結合できる構造になっている。このような構造も公知であるので、説明は省略する。
【００２５】
感知器ベース１１は、カバー側は、図４（ａ）に示したように、中央に通線孔１１ｄを備えた薄型円筒体をなしており、内部に上下を区分し、プリントブロック収容部を構成する仕切壁１１ｇを形成し、更に通線溝部１１ｅを形成し、1組の木ネジ取付孔１１ｆを形成している。
上記した仕切壁１１ｇには、アイソレータＡの制御回路１９ｃ、制御接点を構成するリレー１９ｂ、感知器の制御回路を構成するプリントブロック１９ａを実装したプリント基板１９が、それらの実装面を下方に向けて収容され、その上方からカバー１２が被せられる（図４（ｂ）、（ｃ）及び図７参照）。
このような構造によれば、アイソレータＡや他の制御回路などを構成する電子回路部への異物侵入や埃の堆積を防止し、更に、天井面に結露した水滴が浸入することも防止できるので、信頼性の高いものとなる。
【００２６】
カバー１２は、感知器ベース１１の通線孔１１ｄ、通線溝１１ｅを露見させるために、対応する部分１２ａ，１２ｃを開口、切欠した円盤形状になっており、感知器ベース１１の木ネジ取付孔１１ｆに対応した部分に孔部１２ｂを形成し、更に感知器ベース１１の周溝１１ｉに嵌合固定するために係止爪１２ｅを形成した周縁１２ｄを突設している（図３、図７参照）。
【００２７】
一方、感知器ベース１１のヘッド側は、通線孔１１ｄの周囲を囲むようにして、刃受ばね取付部１１ａ、端子板取付部１１ｂを形成しており、前者には４つの刃受ばね１５ａを設けた接続端子１５を取付け、後者には、それぞれが対向するようにして、感知器回線に接続される３つの接続端子ＳＡＩ，ＳＡＯ，ＳＢと、感知器ヘッドへの内部端子ＳＣ，ＳＣを構成する端子板１３，１４を設けている。図例では、内部端子ＳＣ，ＳＣは、感知器ヘッドの表示灯駆動電源として供給している。外周部には、後述する感知器ヘッド側に設けた突部１０ｂを嵌合させる凹所１１ｈを形成している。
ここに、４つの刃受けばね１５ａは、感知器ヘッド１０を感知器ベース１１に結合する際、回動させたときに、感知器ヘッド１０側に対応して設けた爪状の接続端子１０ａに接続され、これによって感知器ヘッド１０は感知器ベース１１から給電を受けるようになっている。
また、３つの接続端子は、感知器回線端子ＳＡＩ，ＳＡＯ、感知器回線共通端子ＳＢを構成しており、接続端子ＳＣ，ＳＣと同様にして、それぞれが、押締端ネジ１７で固定されている。
１６は、感知器ベース１１内の配線が刃受ばね１５などに接触し短絡することを防止するための絶縁銘板であり、図４（ｄ）は、感知器ベース１１にすべての部品を搭載した組立状態を示している。
【００２８】
感知器ヘッド１０は、図５（ａ）、（ｂ）に示すように、感知器ベース１１に対応した円筒形状をなしており、その内部には、感知器ベース１１側に設けた、４つの接続端子１５の刃ばね１５ａに嵌入させる爪状の接続端子１０ａを設け、内周面には、感知器ベース１１の対応した周面に形成した凹部１１ｈに嵌合させる突部１０ｂを形成しており、外面には、煙、熱などの火災要因を検知する検知部１０ｃを中央より突設させている。
【００２９】
図６は、アイソレータ表示灯を示している。
この表示灯２０は、感知器ベース１１の前述した、感知器回線に接続される３つの接続端子ＳＡＩ，ＳＡＯ，ＳＢの近傍にＬＥＤを取付けて構成されている。
このような表示灯２０を設けて、制御回路１９ｃで点滅制御するようにすれば、その状態により、アイソレータＡの制御接点１９ｂの開閉状態を報知することが出来る。
例えば、１回点滅状態では制御接点１９ｂが閉じて、管轄する感知器回線のセグメントが遮断されていないことを報知し、２回点滅状態では、制御接点１９ｂが開き、管轄する感知器回線のセグメントが遮断されていないことが報知できる。
【図面の簡単な説明】
【００３０】
【図１】本発明のアイソレータ内蔵型火災感知器の要部構成の一例を示すブロック図
【図２】本発明の火災報知システムの一例を示すシステム構成図
【図３】本発明のアイソレータ内蔵型火災感知器の一例を示す分解斜視図
【図４】（ａ）〜（ｄ）は、感知器ベースの組立工程を説明するための斜視図
【図５】（ａ），（ｂ）は感知器ヘッドの構造を説明するための斜視図
【図６】アイソレータ表示灯の一例を示す図
【図７】アイソレータの収容部の縦断面構造を示す図
【図８】アイソレータを使用した従来の火災報知システムの構成を示す図
【符号の説明】
【００３１】
Ａ  アイソレータ
１  アイソレータ内蔵型火災感知器
１０  感知器ヘッド
１１  感知器ベース
１１ｇ  仕切壁
１２  カバー
１９ｂ  制御接点
１９ｃ  制御回路
２０  表示灯
Ｌ  感知器回線
ＳＡＩ，ＳＡＯ  感知器回線端子
ＳＢ  感知器回線共通端子
ＳＣ  内部端子
【図１】
2008027349.tif 000003
【図２】
2008027349.tif 000004
【図３】
2008027349.tif 000005
【図４】
2008027349.tif 000006
【図５】
2008027349.tif 000007
【図６】
2008027349.tif 000008
【図７】
2008027349.tif 000009
【図８】
2008027349.tif 000010